(57)【要約】【課題】アームレストを水平の使用状態にした時、即ち、再ロックカム部によって自由側フックが持ち上げられた際の異音が特別の防振カバーを必要とせずに緩和できるアームレスト装置を提供する。【解決手段】シートフレームに固定される固定軸と、固定軸が挿入されて回転自在に支持されるアームレスト本体と、ロックばねと、フック支持部及びフック係止部と、フック用プレートと、ロック解除カム部及び再ロックカム部とを有し固定軸に設けられるカム部材と、を備えているアームレストにおいて、自由側フックがフック係止部からフック支持部に持ち上げられて固定軸外周に密着する際に発生する異音を軽減させる異音緩和手段が、フック係止部からフック支持部に亘って設けられていることを特徴とする。【選択図】図１７
2010005213.tif 000002
【特許請求の範囲】
【請求項１】
固定軸に回転自在に支持されるアームレスト本体と、コイル部が前記固定軸に密着状態で巻回され、一端側の固定側フックが前記アームレスト本体に係止され、他端側が自由側フックとなっているコイル状ロックばねとを備え、前記自由側フックが移動することにより前記コイル部の拡径及び縮径が行われて前記アームレスト本体の回転及びそのロックがなされるアームレストであって、
前記自由側フックの移動によって前記コイル部が前記固定軸に密着する際に発生する異音を緩和する異音緩和手段が前記自由側フックの移動領域に設けられていることを特徴とするアームレスト。
【請求項２】
シートフレームに固定される固定軸と、前記固定軸が挿入されて回転自在に支持されるアームレスト本体と、前記固定軸に密着状態で巻回され、一端が前記アームレスト本体に係止される固定側フック、他端が自由側フックとなっているコイル状ロックばねと、前記自由側フックを前記固定軸の軸線方向に引き上げた状態を支持するフック支持部及びフック支持部上の自由側フックが固定軸の軸線下方向に落ち込むことによりロックばねを拡径させるフック係止部とを有し、前記アームレスト本体から立ち上がるように設けられるフック用プレートと、前記アームレスト本体を収納方向に回転させたとき、自由側フックを前記フック支持部からフック係止部に落とし込んでロックばねのロックを解除するロック解除カム部及びアームレスト本体を展開方向に回転させたとき、自由側フックを前記フック係止部から持ち上げてフック支持部に支持させロックばねによるロック作動状態とする再ロックカム部を有した前記固定軸に設けられるカム部材と、を備えているアームレストにおいて、
前記自由側フックが前記フック係止部からフック支持部に持ち上げられて前記固定軸外周に密着する際に発生する異音を軽減させる異音緩和手段が、前記フック係止部から前記フック支持部に亘って設けられていることを特徴とするアームレスト。
【請求項３】
前記異音緩和手段は、１段または複数段の階段状接触面を含むことを特徴とする請求項１又は２に記載のアームレスト。
【請求項４】
前記異音緩和手段は、徐々に高くなる傾斜面であることを特徴とする請求項１又は２に記載のアームレスト。
【請求項５】
前記異音緩和手段は、突起であることを特徴とする請求項１又は２に記載のアームレスト。
【請求項６】
前記異音緩和手段は、徐々に高くなる傾斜面及び前記傾斜面に設けられた１段または複数段の階段状接触面を含むことを特徴とする請求項１又は２に記載のアームレスト。
【請求項７】
前記異音緩和手段は、１つまたは複数個の波状面であることを特徴とする請求項１又は２に記載のアームレスト。
【請求項８】
前記異音緩和手段は、凸部の表面及び前記凸部の表面に連続して形成された前記自由側フックが収まる程度の大きさの凹部を含むことを特徴とする請求項１又は２に記載のアームレスト。
【発明の詳細な説明】
【技術分野】
【０００１】
本発明は、自動車用シートに装着される可動式のアームレストに係り、より詳しくは無段階的に角度調整が可能なアームレストにおいてバネ端末解除作動時の異音が緩和できるアームレストに関する。
【背景技術】
【０００２】
可動式のアームレストは、特開２００６−１９２１３２、特開２００７−１８５２２３、特開２００６−４４５１８、特開２００７−５５８他に開示されているように、シートフレームに固定される固定軸と、この固定軸が挿入されて回転自在に支持されるアームレスト本体と、固定軸に密着状態で巻回され、一端がアームレスト本体に係止される固定側フック、他端が自由側フックとなっているコイル状ロックばねを備えており、自由側フックに作用してロックばねの拡径状態を維持・解除することにより、ロックを解除したりロック作動状態とし無段階的に角度調整を可能にしたアームレストが知られている。
【０００３】
このような構造のアームレストは、ロックを解除する場合は、ロックコイルばねの自由側フックを例えば係止部等に係止することによりコイルの拡径状態を維持する。そしてロック状態に戻すときには、自由側フックの係止を解除することにより行われることから、ロックばねの自由側フックが弾性復元することによりその衝撃で異音が発生する。
【０００４】
このようなロック時の異音を緩和する方法として特許文献１には、ロックばねをゴム、合成樹脂製の防振カバーで覆う方法が開示されている。
しかし、この方法は防振カバーを必要とするほか、これを取り付ける工程が増えるなどの問題もある。
また特許文献２には、樹脂ワッシャーを設けることによりロックばねの自由側フックが弾性復元したときの異音を緩和する方法が開示されている。
しかし、この方法も樹脂ワッシャーを必要とする等、部品点数が多くなる等の問題もある。
【特許文献１】特開２００６−４４５１８号公報
【特許文献２】特開２００７−５５８号公報
【発明の開示】
【発明が解決しようとする課題】
【０００５】
本発明は、上記文献等に開示された自由側フックを有するロックばねの拡径状態を維持・解除するロック方式のアームレスト装置を、ロックばねの自由側フックが弾性復元したときに発生する異音が特別の防振カバー等を必要とせずに緩和できるアームレスト装置の提供を目的とする。
【課題を解決するための手段】
【０００６】
請求項１記載の発明のアームレスト装置は、固定軸に回転自在に支持されるアームレスト本体と、コイル部が前記固定軸に密着状態で巻回され、一端側の固定側フックが前記アームレスト本体に係止され、他端側が自由側フックとなっているコイル状ロックばねとを備え、前記自由側フックが前記固定軸の軸線方向に移動することにより前記コイル部の拡径及び縮径が行われて前記アームレスト本体の回転及びそのロックがなされるアームレストであって、前記自由側フックの移動によって前記コイル部が前記固定軸に密着する際に発生する異音を緩和する異音緩和手段が前記自由側フックの移動領域に設けられていることを特徴とする。
【０００７】
請求項２記載の発明のアームレスト装置は、シートフレームに固定される固定軸と、前記固定軸が挿入されて回転自在に支持されるアームレスト本体と、前記固定軸に密着状態で巻回され、一端が前記アームレスト本体に係止される固定側フック、他端が自由側フックとなっているコイル状ロックばねと、前記自由側フックを前記固定軸の軸線方向に引き上げた状態を支持するフック支持部及びフック支持部上の自由側フックが固定軸の軸線下方向に落ち込むことによりロックばねを拡径させるフック係止部とを有し、前記アームレスト本体から立ち上がるように設けられるフック用プレートと、前記アームレスト本体を収納方向に回転させたとき、自由側フックを前記フック支持部からフック係止部に落とし込んでロックばねのロックを解除するロック解除カム部及びアームレスト本体を展開方向に回転させたとき、自由側フックを前記フック係止部から持ち上げてフック支持部に支持させロックばねによるロック作動状態とする再ロックカム部を有した前記固定軸に設けられるカム部材と、を備えているアームレストにおいて、
前記自由側フックが前記フック係止部からフック支持部に持ち上げられて前記固定軸外周に密着する際に発生する異音を軽減させる異音緩和手段が、前記フック係止部から前記フック支持部に亘って設けられていることを特徴とする。
【０００８】
請求項３記載の発明のアームレスト装置は、前記異音緩和手段は、１段または複数段の階段状接触面を含むことを特徴とする。
【０００９】
請求項４記載の発明のアームレスト装置は、前記異音緩和手段は、徐々に高くなる傾斜面であることを特徴とする。
【００１０】
請求項５記載の発明のアームレスト装置は、前記異音緩和手段は、突起であることを特徴とする。
【００１１】
請求項６記載の発明のアームレスト装置は、前記異音緩和手段は、徐々に高くなる傾斜面及び前記傾斜面に設けられた１段または複数段の階段状接触面を含むことを特徴とする。
【００１２】
請求項７記載の発明のアームレスト装置は、前記異音緩和手段は、１つまたは複数個の波状面であることを特徴とする。
【００１３】
請求項８記載の発明のアームレスト装置は、前記異音緩和手段は、凸部の表面及び前記凸部の表面に連続して形成された前記自由側フックが収まる程度の大きさの凹部を含むことを特徴とする。
【発明の効果】
【００１４】
本発明によれば、アームレストを水平の使用状態にした時、即ち、ロックばねの自由側フックが弾性復元したときに発生する際の異音が防振カバーや樹脂ワッシャーなしで緩和できる効果がある。
【発明を実施するための最良の形態】
【００１５】
以下、本発明の実施例について具体的に説明する。
【実施例】
【００１６】
図１はアームレスト装置の正面図、図２はアームレスト装置の背面図、図３及び図４は図１におけるＢ−Ｂ線断面図及びＡ−Ａ線断面図である。図５は回転プレートを、図６はロックばねを、図７はカム部材をそれぞれ示す。
図８〜図１６は作動を示す説明図であり、図１７は、フック用プレート１１に設ける異音緩和手段の実施例を示す図である。
【００１７】
アームレスト装置は、図１−４に示す通りアームレスト本体７と、固定軸２と、ロックばね３と、カム部材５と、フック用プレート１１と、リング体２１とを備えている。
アームレスト本体７は横長形状に形成されており、底面の基端部側には固定軸２が貫通する貫通孔７ａが形成されている。
図３、４に示すように、固定軸２は円筒形状に形成されている。固定軸２は、ロックばね３が締め代を有して巻き付けられる大径部２ｃと、大径部２ｃの一端側に一体的に形成された小径部２ａと、大径部２ｃの他端側に一体的に形成された固定凸部２ｄとを有している。小径部２ａの端部には固定凸部２ｂが形成されている。他端側の固定凸部２ｄはカム部材５に連結され、小径部２ａ側の固定凸部２ｂはリング体２１に連結される。
【００１８】
リング体２１は、図示を省略した車両用シートのシートフレーム（シートバックフレーム）におけるアームレスト取付部に固定される。図２，図３に示すように、リング体２１には、アームレスト取付部に形成された嵌合孔に嵌合して結合する爪部２１ｂが形成されている。爪部２１ｂが嵌合することによりリング体２１，固定軸２及びカム部材５がアームレスト取付部に固定される。リング体２１には、円弧状の固定孔２ａが同一円周上に複数形成されている。固定孔２ａには、固定軸２の端部の固定凸部２ｂが圧入、加締め、溶接等の手段によって固定され、固定軸２とリング体２１とが一体化する。リング体２１の中央部分には、ねじ孔２１ｃが形成されており、ねじ孔２１ｃにねじ（図示省略）を挿通してアームレスト取付部にねじ込むことにより、リング体２１がアームレスト取付部に固定される。
【００１９】
図３、図４に示すように、ロックばね３にはコイル状ばねが使用される。ロックばね３は自由状態において、固定軸２の大径部２ｃより僅かに小さい内径になっており、固定軸２の大径部２ｃが挿入されることにより大径部２ｃに密着する。ロックばね３の両側には、固定側フック３ａ及び自由側フック３ｂが形成されている。
固定側フック３ａは、フック用プレート１１に溶接されたフック固定部材４に係止される。このためフック固定部材４には、固定側フック３ａが挿入される凸部４ａが形成されている。固定側フック３ａがフック用プレート１１側のフック固定部材４に係止されることにより、ロックばね３の全体がフック用プレート１１と共に回転する。自由側フック３ｂは自由状態となっており、後述するように固定軸２の軸線方向に沿って移動することによりロックばね３を縮径及び拡径させる。
【００２０】
フック用プレート１１は図３、図４及び図５に示すように、貫通孔１ａを有し、貫通孔１ａに固定軸２の小径部２ａが挿入される。このことにより、フック用プレート１１は固定軸２に対して回転可能となっている。フック用プレート１１は、アームレスト本体７に溶接等により一体化され、アームレスト本体７はフック用プレート１１と共に回転する。
フック用プレート１１には、固定軸２の軸線方向に立ち上がるフック用プレート１１が一体的に形成されている。フック用プレート１１は図３に示すように、フック支持部１２及びフック係止部１３を有している。フック支持部１２はロックばね３の自由側フック３ｂが当接し、この当接により自由側フック３ｂを固定軸２の軸線方向に引き上げた状態を維持する。
【００２１】
図３及び図４は、自由側フック３ｂがフック支持部１２によって支持された状態を示す。フック支持部１２に自由側フック３ｂが支持されることにより、ロックばね３における自由側フック３ｂに連設した部分が他の部分から引き上げられると共に、ロックばね３が縮径状態を維持し、ロックばね３はロック状態となっている。又、フック支持部１２に自由側フック３ｂが支持された状態では、ロックばね３の元に戻ろうとする反力により、自由側フック３ｂはフック支持部１２の上面（すなわち図３において、固定軸２のカム部材５側の面）を常に下に押している状態となっている。以下、この実施形態において、「上」は固定軸２のカム部材５側を、「下」は固定軸２のカム部材５と反対側（アームレスト本体７側）を示すものとする。なお、固定軸２は自由側フック３ｂの上方向への移動に伴うロックばね３の動きを許容できる長さを有している。
【００２２】
フック用プレート１１のフック係止部１３は、フック支持部１２から溝状となって落ち込んでおり、ロックばね３の自由側フック３ｂが落ち込む。自由側フック３ｂの落ち込みにより、ロックばね３が拡径し、ロックばね３のロック状態が解除される。
カム部材５は図１、図３及び図７に示すように、円弧状の複数の固定孔５ａが同一円周上に形成され、固定孔５ａに固定軸２の固定凸部２ｄが圧入、加締め、溶接等の手段により固定される。これにより、カム部材５と固定軸２とが連結され、カム部材５は固定状態となる。
【００２３】
カム部材５の外周側には、ロック解除カム部５ｂと再ロックカム部５ｃとがアームレスト本体７の回転方向に離間して形成されている。ロック解除カム部５ｂはフック支持部１２に支持されているロックばね３の自由側フック３ｂに当接し、自由側フック３ｂがフック支持部１２から外れてフック係止部１３に落ち込むように作用する。従って、ロック解除カム部５ｂはロックばね３のロックを解除する。ロック解除カム部５ｂが自由側フック３ｂに当接する面は、固定軸の軸線方向に延びると共に、その高さは自由側フック３ｂを支持しているフック支持部１２の面と略同じとなっている。
【００２４】
再ロックカム部５ｃは、自由側フック３ｂをフック係止部１３から持ち上げて自由側フック３ｂがフック支持部１２に支持されるように作用する。従って、再ロックカム部５ｃはロックばね３をロック状態とする。自由側フック３ｂを持ち上げるため、再ロックカム部５ｃは傾斜している。すなわち、再ロックカム部５ｃが自由側フック３ｂに当接する面には、フック係止部１３から自由側フック３ｂを持ち上げ易い舌状の傾斜が形成される。
より具体的には、再ロックカム部が自由側フック３ｂに当接する面には、先端に向かうほど自由側フック３ｂに近づく傾斜が形成されるものである。
なお、カム部材５の中央部分には固定軸２の内部に嵌入する凹部５ｄが形成されている。
又、凹部５ｄの中央部分にはねじ孔５ｅが形成され、ねじ孔５ｅにねじ（図示省略）が挿通することにより固定軸２の全体がアームレスト取付部に固定される。
【００２５】
次に、この実施形態の作動を図８〜図１６により説明する。これらの図において、矢印Ｓはアームレスト装置をシートバック側に収納する収納方向であり、矢印Ｔはアームレスト装置をシートバックから引き出す展開方向であり、「○」は回転可能、「×」は回転できないことを示す。又、各図において、（ａ）はフック用プレート１１に対する自由側フック３ｂの動きを、（ｂ）はアームレスト本体の回転に伴う自由側フック３ｂの動きを示している。
【００２６】
図８〜図１０は、アームレスト装置が使用される角度範囲での作動であり、アームレスト装置のロック作動状態を示している。これらの図において、矢印Ｓ方向へのアームレスト本体７の回転は、ロックばね３が拡径する方向のためアームレスト本体７を軽い力で回転させることができる。これに対し、矢印Ｔ方向への回転方向は、ロックばね３が縮径して固定軸２を締め付ける方向のため、アームレスト本体７は矢印Ｔ方向への回転がロックされ、アームレスト本体７はその角度位置で保持される。従って、アームレスト本体７の角度調整を無段階で行うことができる。このとき、フック支持部１２はロックばね３の拡縮径を許容しており、ロックばね３が拡縮径する方向への自由側フック３ｂの動きを阻害しない。
【００２７】
図１０の角度位置では、カム部材５のロック解除カム部５ｂが自由側フック３ｂと当接する位置となっている。この位置からさらに矢印Ｓ方向にアームレスト本体７を回転させていくと、ロック解除カム部５ｂがフック支持部１２上の自由側フック３ｂをロックばね３が拡径する方向へ押していき（又は、回していき）、図１５の矢印で示すように、自由側フック３ｂがフック係止部１３に落ち込んで嵌合状態が保持される。すなわち、ロックばね３の自由側フック３ｂがフック支持部１２に支持されて固定軸２の軸線方向の上方向に引き上げられているため、その反力により自由側フック３ｂは自らフック係止部１３に落ち込み、且つその状態が維持される。この状態は、ロックばね３が拡径され、ロック解除状態が維持されている状態に他ならない。この状態では、矢印Ｓ及びＴの両方向へアームレスト本体７を回転させることができる。そして、アームレスト本体７を矢印Ｓ方向にさらに回転させることにより図１６の収納位置となる。
【００２８】
図１２の収納位置からアームレスト本体７を矢印Ｔで示す展開方向に回転させると、順に図１３、図１４、図１５、図１６の状態となる。この展開方向へのアームレスト本体７の回転は、自由側フック３ｂがフック係止部１３に嵌合することによりロックばね３が拡径してロック解除状態となっているため、矢印Ｓ及びＴの両方向に回転させることができる。
図１６はアームレスト本体７の最下端位置を示し、この位置まで矢印Ｔ方向にアームレスト本体７を回転させると、カム部材５の再ロックカム部５ｃが自由側フック３ｂをフック係止部１３から持ち上げる。従って、自由側フック３ｂはフック係止部１３との嵌合が外れて、フック支持部１２に支持される。これにより、図１２のロック作動状態となり上述したと同様の無段階の角度調整を行うことができる。
このような実施形態では、ロックばね３のコイル部が縮径するとともに自由側フック３ｂが固定軸２の軸線方向に引き上げられてフック支持部１２に支持されることにより、ロックばね３がロック作動状態となる。
図１５から図１６に移行する際、即ち、アームレスト本体７が最下端位置に到達するときに、ロックばね３が縮径して固定軸２の外周に密着するためその衝撃により異音が発生する。
【００２９】
図１７は、図５（ｂ）に示すフック用プレート１１において、自由側フック３ｂがフック係止部１３からフック支持部１２に持ち上がる状況を示す図である。
図１７（ａ）は、異音緩和手段がない場合を示す。この場合は、自由側フック３ｂがフック係止部１３の側壁を這い上がった後、フック支持部１２の表面に到達した瞬間にロックばね３の弾性力により縮径位置に到達し、異音を発生させる。
（ｂ）−（ｇ）は異音緩和手段の実施例を示すもので、ロック開放状態からロック状態における自由側フック３ｂの移動領域で、自由側フック３ｂに戻り抵抗を付与したものである。
（ｂ）は、実施例１の異音緩和手段で、１段または複数段の階段状接触面を有する異音緩和手段の一例を示す。
実施例では、フック係止部１３の側壁からフック支持部１２に移行する高さを低くして、一旦自由側フック３ｂを水平なフック支持部１２に載せた後表面に階段を設けた後、再度水平なフック支持部１２に載せるものである。
自由側フック３ｂが階段状表面を這い上がる分だけロックばね３の縮径速度が低下し、衝撃が緩和されて異音が小さくなる。
【００３０】
（ｃ）は、実施例２の異音緩和手段で、フック係止部１３の側壁から離れるに従って徐々に高くなるようにフック支持部１２に傾斜面を形成したもので、自由側フック３ｂが傾斜面を有するフック支持部１２の表面を這い上がるためにロックばね３が縮径位置に到達する時間が若干長くなり、その分だけ衝撃が緩和されて異音が小さくなる。
（ｄ）は、実施例３の異音緩和手段で、フック支持部１２上に突起を設け、自由側フック３ｂが突起部表面を這い上がる分だけロックばね３の縮径速度が低下し、衝撃が緩和されて異音が小さくなる。
（ｅ）は、実施例４の異音緩和手段で、フック係止部１３から離れるに従って徐々に高くなるようにフック支持部１２に形成された傾斜面および傾斜面に設けられた１段または複数段の階段状接触面を含む異音緩和手段の一例を示す。
自由側フック３ｂが傾斜面を有するフック支持部１２の表面を這い上がるためにロックばね３が縮径位置に到達する時間が若干長くなり、さらに、自由側フック３ｂが階段状表面を這い上がる必要があるためロックばね３の縮径速度が低下し、衝撃が緩和されて異音がかなり小さくなる。
【００３１】
（ｆ）は、実施例５の異音緩和手段で、１つまたは複数個の波状面を有する異音緩和手段の一例を示す。
実施例５は、フック支持部１２に２個の山と２個の谷を有するもので、各山を這い上がる度毎に縮径速度が低下し、衝撃が緩和されて異音が小さくなる。
（ｇ）は、実施例６の異音緩和手段で、凸部の表面及び凸部の表面に連続して自由側フック３ｂが収まる程度の大きさの凹部を設けたものである。
自由側フック３ｂが凸部を這い上がりながら減速した後凹部に収まり、再度凹部から脱出するまでに大幅減速して縮径位置に到達するため衝撃が大幅に緩和されて異音がかなり小さくなる。
【図面の簡単な説明】
【００３２】
【図１】本発明の一実施形態におけるアームレスト装置の正面図である。
【図２】アームレスト装置の背面図である。
【図３】図１におけるＢ−Ｂ線断面図である。
【図４】図１におけるＡ−Ａ線断面図である。
【図５】（ａ）はフック用プレートの側面図、（ｂ）は平面図、（ｃ）は側面図である。
【図６】（ａ）はロックばねの側面図、（ｂ）は底面図である。
【図７】（ａ）はカム部材の側面図、（ｂ）は平面図である。
【図８】（ａ）、（ｂ）は角度調整を説明する説明図である。
【図９】図８に続く状態を示す説明図である。
【図１０】図９に続く状態を示す説明図である。
【図１１】図１０に続く状態を示す説明図である。
【図１２】図１１に続く状態を示す説明図である。
【図１３】図１２に続く状態を示す説明図である。
【図１４】図１３に続く状態を示す説明図である。
【図１５】図１４に続く状態を示す説明図である。
【図１６】図１５に続く状態を示す説明図である。
【図１７】フック用プレート１１に設ける異音緩和手段の実施例を示す図である。
【符号の説明】
【００３３】
１  回転プレート
２  固定軸
３  ロックばね
３ａ  固定側フック
３ｂ  自由側フック
５  カム部材
５ｂ  ロック解除カム部
５ｃ  再ロックカム部
７  アームレスト本体
１１  フック用プレート
１２  フック支持部
１３  フック係止部
１５  スペーサ
１７  フック呼び込み部
１８  傾斜ガイド面
１９  傾斜保持面
【図１】
2010005213.tif 000003
【図２】
2010005213.tif 000004
【図３】
2010005213.tif 000005
【図４】
2010005213.tif 000006
【図５】
2010005213.tif 000007
【図６】
2010005213.tif 000008
【図７】
2010005213.tif 000009
【図８】
2010005213.tif 000010
【図９】
2010005213.tif 000011
【図１０】
2010005213.tif 000012
【図１１】
2010005213.tif 000013
【図１２】
2010005213.tif 000014
【図１３】
2010005213.tif 000015
【図１４】
2010005213.tif 000016
【図１５】
2010005213.tif 000017
【図１６】
2010005213.tif 000018
【図１７】
2010005213.tif 000019